(57)【特許請求の範囲】
【請求項１】
印刷ジョブに基づいて、エンジンに印刷させる印刷画像データを生成する画像処理装置であって、
取得した印刷ジョブの中から、一括して面付け可能な複数の印刷ジョブを抽出すると共に、前記複数の印刷ジョブに基づいて、面付け方法を決定する判断部と、
前記印刷ジョブのページ画像と断裁機による断裁位置を明示する断裁線と前記ページ画像の面付け位置を特定可能にする識別マークとを配置した印刷画像データを生成して前記エンジンに出力する面付け部と、を備え、
前記面付け部は、前記決定した面付け方法に応じて、水平方向及び垂直方向の各々の方向の前記断裁線上に、少なくとも１つの前記識別マークを配置する、
ことを特徴とする画像処理装置。
【請求項２】
前記判断部は、各々の印刷ジョブのページ数に基づいて、同一の用紙に前記複数の印刷ジョブの同一ページを面付けする第１の面付け方法、又は、各々の用紙に各々の印刷ジョブの複数ページを面付けする第２の面付け方法を選択する、
ことを特徴とする請求項１に記載の画像処理装置。
【請求項３】
前記面付け部は、前記第１の面付け方法が選択された場合、水平方向及び垂直方向の各々の方向に隣り合うページ画像の間の前記断裁線上に、ページ画像の組み合わせに応じて形態が異なる前記識別マークを付加する、
ことを特徴とする請求項２に記載の画像処理装置。
【請求項４】
前記面付け部は、前記複数の印刷ジョブの印刷枚数が前記断裁機の最大断裁枚数を超えるかを判断し、前記印刷枚数が前記最大断裁枚数を超える場合は、前記識別マークを付加する、
ことを特徴とする請求項３に記載の画像処理装置。
【請求項５】
前記面付け部は、前記第２の面付け方法が選択された場合、水平方向及び垂直方向の一方の方向に隣り合うページ画像は互いに上下反転して配置し、互いに上下反転して配置したページ画像の間の前記断裁線上には、同一の形態の前記識別マークを付加し、水平方向及び垂直方向の他方の方向に隣り合うページ画像の間の前記断裁線上には、ページ画像の組み合わせに応じて形態が異なる前記識別マークを付加する、
ことを特徴とする請求項２に記載の画像処理装置。
【請求項６】
前記面付け部は、水平方向及び垂直方向の少なくとも一方の方向の前記断裁線上に配置する前記識別マークに、断裁後の用紙束の積載順を識別可能にする情報を付加する、
ことを特徴とする請求項５に記載の画像処理装置。
【請求項７】
前記識別マークの形態は、数量、長さ、幅、形状、色の中から選択される少なくとも１つである、
ことを特徴とする請求項３乃至６のいずれか一に記載の画像処理装置。
【請求項８】
前記面付け部は、前記断裁線上の前記識別マークを、当該断裁線に対して非対称な位置に配置する、
ことを特徴とする請求項１乃至７のいずれか一に記載の画像処理装置。
【請求項９】
印刷ジョブに基づいてエンジンに印刷させる印刷画像データを生成する画像処理装置で動作する面付け印刷制御プログラムであって、
前記画像処理装置に、
取得した印刷ジョブの中から、一括して面付け可能な複数の印刷ジョブを抽出すると共に、前記複数の印刷ジョブに基づいて、面付け方法を決定する第１処理、
前記印刷ジョブのページ画像と断裁機による断裁位置を明示する断裁線と前記ページ画像の面付け位置を特定可能にする識別マークとを配置した印刷画像データを生成する第２処理、
前記印刷画像データを前記エンジンに出力する第３処理、を実行させ、
前記第２処理では、前記決定した面付け方法に応じて、水平方向及び垂直方向の各々の方向の前記断裁線上に、少なくとも１つの前記識別マークを配置する、
ことを特徴とする面付け印刷制御プログラム。
【請求項１０】
前記第１処理では、各々の印刷ジョブのページ数に基づいて、同一の用紙に前記複数の印刷ジョブの同一ページを面付けする第１の面付け方法、又は、各々の用紙に各々の印刷ジョブの複数ページを面付けする第２の面付け方法を選択する、
ことを特徴とする請求項９に記載の面付け印刷制御プログラム。
【請求項１１】
前記第２処理では、前記第１の面付け方法が選択された場合、水平方向及び垂直方向の各々の方向に隣り合うページ画像の間の前記断裁線上に、ページ画像の組み合わせ毎に異なる形態の前記識別マークを付加する、
ことを特徴とする請求項１０に記載の面付け印刷制御プログラム。
【請求項１２】
前記第２処理では、前記複数の印刷ジョブの印刷枚数が前記断裁機の最大断裁枚数を超えるかを判断し、前記印刷枚数が前記最大断裁枚数を超える場合は、前記識別マークを付加する、
ことを特徴とする請求項１１に記載の面付け印刷制御プログラム。
【請求項１３】
前記第２処理では、前記第２の面付け方法が選択された場合、水平方向及び垂直方向の一方の方向に隣り合うページ画像は互いに上下反転して配置し、互いに上下反転して配置したページ画像の間の前記断裁線上には、同一の形態の前記識別マークを付加し、水平方向及び垂直方向の他方の方向に隣り合うページ画像の間の前記断裁線上には、ページ画像の組み合わせ毎に異なる形態の前記識別マークを付加する、
ことを特徴とする請求項１０に記載の面付け印刷制御プログラム。
【請求項１４】
前記第２処理では、水平方向及び垂直方向の少なくとも一方の方向の前記断裁線上に配置する前記識別マークに、断裁後の用紙束の積載順を識別可能にする情報を付加する、
ことを特徴とする請求項１３に記載の面付け印刷制御プログラム。
【請求項１５】
前記識別マークの形態は、数量、長さ、幅、形状、色の中から選択される少なくとも１つである、
ことを特徴とする請求項１１乃至１４のいずれか一に記載の面付け印刷制御プログラム。
【請求項１６】
前記第２処理では、前記断裁線上の前記識別マークを、当該断裁線に対して非対称な位置に配置する、
ことを特徴とする請求項９乃至１５のいずれか一に記載の面付け印刷制御プログラム。
【請求項１７】
印刷ジョブに基づいてエンジンに印刷させる印刷画像データを生成する画像処理装置を含む印刷システムにおける面付け印刷制御方法であって、
前記画像処理装置は、
取得した印刷ジョブの中から、一括して面付け可能な複数の印刷ジョブを抽出すると共に、前記複数の印刷ジョブに基づいて、面付け方法を決定する第１処理と、
前記印刷ジョブのページ画像と断裁機による断裁位置を明示する断裁線と前記ページ画像の面付け位置を特定可能にする識別マークとを配置した印刷画像データを生成する第２処理と、
前記印刷画像データを前記エンジンに出力する第３処理と、を実行し、
前記第２処理では、前記決定した面付け方法に応じて、水平方向及び垂直方向の各々の方向の前記断裁線上に、少なくとも１つの前記識別マークを配置する、
ことを特徴とする面付け印刷制御方法。
【請求項１８】
前記第１処理では、各々の印刷ジョブのページ数に基づいて、同一の用紙に前記複数の印刷ジョブの同一ページを面付けする第１の面付け方法、又は、各々の用紙に各々の印刷ジョブの複数ページを面付けする第２の面付け方法を選択する、
ことを特徴とする請求項１７に記載の面付け印刷制御方法。
【請求項１９】
前記第２処理では、前記第１の面付け方法が選択された場合、水平方向及び垂直方向の各々の方向に隣り合うページ画像の間の前記断裁線上に、ページ画像の組み合わせ毎に異なる形態の前記識別マークを付加する、
ことを特徴とする請求項１８に記載の面付け印刷制御方法。
【請求項２０】
前記第２処理では、前記複数の印刷ジョブの印刷枚数が前記断裁機の最大断裁枚数を超えるかを判断し、前記印刷枚数が前記最大断裁枚数を超える場合は、前記識別マークを付加する、
ことを特徴とする請求項１９に記載の面付け印刷制御方法。
【請求項２１】
前記第２処理では、前記第２の面付け方法が選択された場合、水平方向及び垂直方向の一方の方向に隣り合うページ画像は互いに上下反転して配置し、互いに上下反転して配置したページ画像の間の前記断裁線上には、同一の形態の前記識別マークを付加し、水平方向及び垂直方向の他方の方向に隣り合うページ画像の間の前記断裁線上には、ページ画像の組み合わせ毎に異なる形態の前記識別マークを付加する、
ことを特徴とする請求項１８に記載の面付け印刷制御方法。
【請求項２２】
前記第２処理では、水平方向及び垂直方向の少なくとも一方の方向の前記断裁線上に配置する前記識別マークに、断裁後の用紙束の積載順を識別可能にする情報を付加する、
ことを特徴とする請求項２１に記載の面付け印刷制御方法。
【請求項２３】
前記識別マークの形態は、数量、長さ、幅、形状、色の中から選択される少なくとも１つである、
ことを特徴とする請求項１９乃至２２のいずれか一に記載の面付け印刷制御方法。
【請求項２４】
前記第２処理では、前記断裁線上の前記識別マークを、当該断裁線に対して非対称な位置に配置する、
ことを特徴とする請求項１７乃至２３のいずれか一に記載の面付け印刷制御方法。
【発明の詳細な説明】
【技術分野】
【０００１】
本発明は、印刷システム及び面付け印刷制御プログラム並びに面付け印刷制御方法に関し、特に、面付けした用紙を断裁した後に仕分けして最終印刷物を作成する印刷システム及び当該印刷システムで動作する面付け印刷制御プログラム並びに当該印刷システムにおける面付け印刷制御方法に関する。
【背景技術】
【０００２】
近年のＭＦＰ（Multi-Functional Peripherals）などの画像形成装置は、１枚の用紙に複数のページを割り付ける面付け機能を備えているものが多く、面付け機能を用いて印刷した用紙を断裁機で断裁した後、ページ順を考慮して重ね合わせる（仕分けを行う）ことにより、最終印刷物が完成する。この面付け機能では、複数の印刷ジョブを面付けする（ギャンギングと呼ぶ。）ことも可能であり、断裁位置が同じであれば、複数の印刷ジョブをまとめて印刷し、まとめて断裁することにより、効率的に最終印刷物を作成することができる。
【０００３】
上記面付け印刷に関する技術ではないが、複数の印刷ジョブの印刷物の仕分けに関する技術として、例えば、下記特許文献１には、用紙が一枚ずつ搬送される搬送経路上の主画像記録部において、前記用紙の片面又は両面に存在する記録面に対して、所定の画像を記録する画像形成装置であって、前記搬送経路上において、前記記録面を除く前記用紙の小口に対して、前記所定の画像とは異なるマーキング画像を、該マーキング画像の内容を所定の用紙グループ単位で異ならせて記録する、小口画像記録部をさらに備える画像形成装置が開示されている。
【先行技術文献】
【特許文献】
【０００４】
【特許文献１】特開２００９−２４８５０７号公報
【発明の概要】
【発明が解決しようとする課題】
【０００５】
ギャンギングには、各々の用紙に複数の印刷ジョブの同一ページを面付けする方法（串差し面付けと呼ぶ。）と、各々の用紙に同一の印刷ジョブの複数ページを面付けする方法（通常面付けと呼ぶ。）の２つの方法がある。複数の印刷ジョブのページ数が同一若しくは近い場合は、串刺し面付けを採用することにより、断裁した用紙束がそのまま最終印刷物になるため、断裁後の仕分けを容易にすることができるが、複数の印刷ジョブのページ数が大きく異なる場合は、串刺し面付けを行うと、余白が含まれるページが増えてしまうため、用紙の使用効率が悪くなる。
【０００６】
そこで、複数の印刷ジョブのページ数が大きく異なる場合は通常面付けが行われることが多いが、通常面付けでは、断裁した用紙束を重ね合わせる必要があり、重ね合わせの際に積載順を間違えやすいという問題がある。また、串差し面付けの場合も、断裁機の最大断裁枚数の制限により、印刷した用紙を複数に分割して断裁しなければならない場合には、断裁した用紙束を重ね合わせる必要があり、重ね合わせの際に積載順を間違えやすいという問題がある。
【０００７】
この問題に対して、特許文献１の技術を利用して、印刷面ではなく、断裁面に印刷ジョブを特定できるマークを印刷する方法が考えられる。しかしながら、この方法では断裁面にマークを印刷しなければならず、また、断裁された両方の用紙束に同じマークが印刷されるため、仕分けして積載する時に表裏を逆にしてしまったり、積載順を間違えてしまったりする恐れがある。
【０００８】
本発明は、上記問題点に鑑みてなされたものであって、その主たる目的は、複数の印刷ジョブを面付けするギャンギングを行う場合に、断裁後の用紙束の仕分けを容易に行うことができる印刷システム及び面付け印刷制御プログラム並びに面付け印刷制御方法を提供することにある。
【課題を解決するための手段】
【０００９】
本発明の一側面は、印刷ジョブに基づいて、エンジンに印刷させる印刷画像データを生成する画像処理装置であって、取得した印刷ジョブの中から、一括して面付け可能な複数の印刷ジョブを抽出すると共に、前記複数の印刷ジョブに基づいて、面付け方法を決定する判断部と、前記印刷ジョブのページ画像と断裁機による断裁位置を明示する断裁線と前記ページ画像の面付け位置を特定可能にする識別マークとを配置した印刷画像データを生成して前記エンジンに出力する面付け部と、を備え、前記面付け部は、前記決定した面付け方法に応じて、水平方向及び垂直方向の各々の前記断裁線上に、少なくとも１つの前記識別マークを配置することを特徴とする。
【００１０】
本発明の一側面は、印刷ジョブに基づいて、エンジンに印刷させる印刷画像データを生成する画像処理装置で動作する面付け印刷制御プログラムであって、前記画像処理装置に、取得した印刷ジョブの中から、一括して面付け可能な複数の印刷ジョブを抽出すると共に、前記複数の印刷ジョブに基づいて、面付け方法を決定する第１処理、前記印刷ジョブのページ画像と断裁機による断裁位置を明示する断裁線と前記ページ画像の面付け位置を特定可能にする識別マークとを配置した印刷画像データを生成する第２処理、前記印刷画像データを前記エンジンに出力する第３処理、を実行させ、前記第２処理では、前記決定した面付け方法に応じて、水平方向及び垂直方向の各々の前記断裁線上に、少なくとも１つの前記識別マークを配置することを特徴とする。
【００１１】
本発明の一側面は、印刷ジョブに基づいて、エンジンに印刷させる印刷画像データを生成する画像処理装置を含む印刷システムにおける面付け印刷制御方法であって、前記画像処理装置は、取得した印刷ジョブの中から、一括して面付け可能な複数の印刷ジョブを抽出すると共に、前記複数の印刷ジョブに基づいて、面付け方法を決定する第１処理と、前記印刷ジョブのページ画像と断裁機による断裁位置を明示する断裁線と前記ページ画像の面付け位置を特定可能にする識別マークとを配置した印刷画像データを生成する第２処理と、前記印刷画像データを前記エンジンに出力する第３処理と、を実行し、前記第２処理では、前記決定した面付け方法に応じて、水平方向及び垂直方向の各々の前記断裁線上に、少なくとも１つの前記識別マークを配置することを特徴とする。
【発明の効果】
【００１２】
本発明の印刷システム及び面付け印刷制御プログラム並びに面付け印刷制御方法によれば、複数の印刷ジョブを面付けするギャンギングを行う場合に、断裁後の用紙束の仕分けを容易に行うことができる。
【００１３】
その理由は、印刷ジョブを受信し、印刷ジョブに基づいて画像形成装置（エンジン）に印刷させる印刷画像データを生成するコントローラ（画像処理装置）は、受信した印刷ジョブの中から、一括して面付け（ギャンギング）可能な複数の印刷ジョブを抽出すると共に、複数の印刷ジョブ（ページ数）に基づいて、面付け方法を決定する判断部と、印刷ジョブのページ画像と断裁機による断裁位置を明示する断裁線とページ画像の面付け位置を特定する識別マークとを配置した印刷画像データを生成してエンジンに出力する面付け部と、を備え、面付け部は、決定した面付け方法に応じて、水平方向及び垂直方向の各々の方向の断裁線上に、少なくとも１つの識別マークを配置するからである。
【図面の簡単な説明】
【００１４】
【図１】通常面付けと串差し面付けを説明する図である。
【図２】本発明の一実施例に係る印刷システムの構成例を示す図である。
【図３】本発明の一実施例に係る印刷システムの他の構成例を示す図である。
【図４】本発明の一実施例に係る印刷システムの他の構成例を示す図である。
【図５】本発明の一実施例に係るクライアント端末の構成を示すブロック図である。
【図６】本発明の一実施例に係るコントローラの構成を示すブロック図である。
【図７】本発明の一実施例に係る画像形成装置の構成を示すブロック図である。
【図８】本発明の一実施例に係るコントローラの動作を示すフローチャート図である。
【図９】本発明の一実施例に係る串差し面付けにおける用紙上の識別マークを説明する図である。
【図１０】本発明の一実施例に係る串差し面付けにおける最終印刷物の識別マークを説明する斜視図である。
【図１１】本発明の一実施例に係る串差し面付けにおける用紙上の断裁線及び識別マークのバリエーションを示す図である。
【図１２】本発明の一実施例に係る串差し面付けにおける用紙上の識別マークのバリエーションを示す図である。
【図１３】本発明の一実施例に係る通常面付けにおける用紙上の識別マークを説明する図である。
【図１４】本発明の一実施例に係る通常面付けにおける用紙束の識別マークを説明する斜視図である。
【図１５】本発明の一実施例に係る通常面付けにおける最終印刷物の識別マークを説明する斜視図である。
【図１６】本発明の一実施例に係る通常面付けにおける用紙上の識別マークのバリエーションを示す図である。
【図１７】本発明の一実施例に係る通常面付けにおける用紙上の識別マークのバリエーションを示す図である。
【図１８】本発明の一実施例に係る通常面付けにおける最終印刷物の識別マークを説明する斜視図である。
【図１９】本発明の一実施例に係る通常面付けにおける用紙上の識別マークのバリエーションを示す図である。
【発明を実施するための形態】
【００１５】
背景技術で示したように、複数の印刷ジョブを面付けして印刷するギャンギングと呼ばれる方法があり、このギャンギングには、各々の用紙に同一の印刷ジョブの複数ページを面付けする通常面付けと、各々の用紙に複数の印刷ジョブの同一ページを面付けする串差し面付けと、がある。図１（ａ）は、4in1の通常面付けの一例を示しており、１番目の印刷ジョブ（印刷ジョブＡ）が１２ページで構成される場合、１枚目の用紙に印刷ジョブＡの１、４、７、１０ページ、２枚目の用紙に２、５、８、１１ページ、３枚目の用紙に３、６、９、１２ページのように、各用紙に同一の印刷ジョブの４ページ分が配置される。図１（ｂ）は、4in1の串差し面付けの一例を示しており、１枚目の用紙に４つの印刷ジョブ（印刷ジョブＡ〜Ｄ）の第１ページ、２枚目の用紙に印刷ジョブＡ〜Ｄの第２ページのように、各用紙に４つの印刷ジョブの同一ページが配置される。
【００１６】
上記通常面付けでは、断裁した用紙束を重ね合わせる必要があり、重ね合わせの際に積載順を間違えやすいという問題がある。また、串差し面付けの場合も、断裁機の最大断裁枚数の制限により、印刷した用紙を複数に分割して断裁を行う場合には、断裁した用紙束を重ね合わせる必要があり、重ね合わせの際に積載順を間違えやすいという問題がある。この問題に対して、印刷面ではなく、断裁面に印刷ジョブを特定できるマークを印刷する方法が考えられるが、この方法は端面に印刷する専用のプリンタが必要であり、また、断裁された両方の用紙束に同じマークが印刷されるため、仕分けして積載する時に表裏を逆にしたり、積載順を間違えたりする恐れがある。
【００１７】
このように、電子写真プリンタでは用紙の端面に印刷は出来ないので、端面で印刷ジョブを認識しようとすると、断裁線上にマークを印刷する必要がある。また、断裁機の性能上、複数に分割して断裁しなければならない場合は、印刷時に断裁機の最大断裁枚数の性能に合わせてシフトや排出位置を変更することがあるため、排出後の仕分けが必要である。
【００１８】
そこで、本発明の一実施の形態では、複数の印刷ジョブを面付けするギャンギングにおいて、ギャンギングする印刷ジョブの種類（ページ数）に応じてギャンギングの種類（通常面付け又は串差し面付け）を切り替え、ギャンギングの種類に応じて、断裁線上に積載順を認識しやすくする（面付け位置を特定可能にする）ためのマーク（後述する識別マーク）を配置する。
【００１９】
また、一辺だけの識別マークでは、複数の印刷ジョブで識別マークの位置が同じになってしまうことから、水平方向の断裁線、垂直方向の断裁線のそれぞれに識別マークを配置し、更に、各々の識別マークの形態（位置や形状、数、色など）が異なるようにして、断裁後の仕分け及び積載の指示を容易に行うことができるようにする。
【実施例】
【００２０】
上記した本発明の実施の形態についてさらに詳細に説明すべく、本発明の一実施例に係る印刷システム及び面付け印刷制御プログラム並びに面付け印刷制御方法について、図２乃至図１９を参照して説明する。図２乃至図４は、本実施例の印刷システムの構成例を示す図であり、図５乃至図７は、各々、クライアント端末、コントローラ、画像形成装置の構成を示すブロック図である。また、図８は、本実施例のコントローラの動作を示すフローチャート図であり、図９乃至図１９は、本実施例の面付け印刷制御方法を説明する模式図である。
【００２１】
図２に示すように、本実施例の印刷システムは、イントラネット上に、通信ネットワーク４０で接続可能なクライアント端末１０とコントローラ２０と画像形成装置３０とがそれぞれ配置される。この通信ネットワーク４０の規格としてEthernet（登録商標）などを用いることができるが、コントローラ２０から画像形成装置３０へのデータ転送は、Ethernet（登録商標）以外にIEEE1394、Parallelなどを用いることも可能である。
【００２２】
なお、図２では、印刷システムを１又は複数のクライアント端末１０とコントローラ２０と画像形成装置３０とで構成したが、クライアント端末１０で複数の印刷ジョブのギャンギングが可能な場合は、図３に示すようにコントローラ２０を省略することができる。また、予め保存した印刷ジョブをギャンギングして印刷指示を行う場合は、図４に示すように、クライアント端末１０を省略することもできる。以下、図２の構成を前提にして、各装置について詳細に説明する。
【００２３】
［クライアント端末］
クライアント端末１０は、パーソナルコンピュータなどのコンピュータ装置であり、印刷ジョブを作成してコントローラ２０に送信する。このクライアント端末１０は、図５（ａ）に示すように、制御部１１と記憶部１２とネットワークＩ／Ｆ部１３と表示部１４と操作部１５などで構成される。
【００２４】
制御部１１は、ＣＰＵ（Central Processing Unit）１１ａとＲＯＭ（Read Only Memory）１１ｂやＲＡＭ（Random Access Memory）１１ｃなどのメモリとで構成され、ＣＰＵ１１ａは、ＲＯＭ１１ｂや記憶部１２に記憶した制御プログラムをＲＡＭ１１ｃに展開して実行することにより、クライアント端末１０全体の動作を制御する。また、図５（ｂ）に示すように、上記制御部１１（ＣＰＵ１１ａ）により、ＯＳ（Operating System）１６、文書作成アプリケーション１７、プリンタドライバ１８などが実行される。
【００２５】
ＯＳ１６は、Windows（登録商標）やMacintosh（登録商標）、Androidなどであり、クライアント端末１０で文書作成アプリケーション１７やプリンタドライバ１８を動作可能にする。
【００２６】
文書作成アプリケーション１７は、文章作成や表計算、画像加工などを行うソフトウェアであり、印刷指示の際にプリンタドライバ１８を読み出し、文書作成アプリケーション１７で作成した原稿データをプリンタドライバ１８に転送する。
【００２７】
プリンタドライバ１８は、文書作成アプリケーション１７で作成した原稿データを、画像形成装置３０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換する。この印刷ジョブには、プリンタドライバ１８の印刷設定画面で設定された画像形成条件及び後処理条件がプリントチケットなどに記述されて付加される。
【００２８】
記憶部１２は、ＨＤＤ（Hard Disk Drive）やＳＳＤ（Solid State Drive）などで構成され、ＣＰＵ１１ａが各部を制御するためのプログラム、自装置の処理機能に関する情報、文書作成アプリケーション１７が作成した原稿データ、プリンタドライバ１８が作成した印刷ジョブなどを記憶する。
【００２９】
ネットワークＩ／Ｆ部１３は、ＮＩＣ（Network Interface Card）やモデムなどで構成され、クライアント端末１０を通信ネットワーク４０に接続し、コントローラ２０に印刷ジョブを送信する。
【００３０】
表示部１４は、液晶表示装置（ＬＣＤ：Liquid Crystal Display）や有機ＥＬ（electroluminescence）表示装置などで構成され、文書作成アプリケーション１７の原稿作成画面、プリンタドライバ１８の印刷設定画面などを表示する。
【００３１】
操作部１５は、マウスやキーボードなどで構成され、文書作成アプリケーション１７による原稿の作成、プリンタドライバ１８による印刷条件や後処理条件の設定などの操作を可能にする。
【００３２】
［コントローラ］
コントローラ２０は、クライアント端末１０から取得した印刷ジョブに基づいて画像形成装置３０に印刷させる印刷画像データを生成する画像処理装置である。このコントローラ２０は、図６（ａ）に示すように、制御部２１と記憶部２２とＲＩＰ（Raster Image Processor）部２３とネットワークＩ／Ｆ部２４とプリンタＩ／Ｆ部２５などで構成される。
【００３３】
制御部２１は、ＣＰＵ２１ａと、ＲＯＭ２１ｂやＲＡＭ２１ｃなどのメモリとで構成され、ＣＰＵ２１ａは、ＲＯＭ２１ｂや記憶部２２に記憶した制御プログラムをＲＡＭ２１ｃに展開して実行することにより、コントローラ２０全体の動作を制御する。上記制御部２１は、図６（ｂ）に示すように、判断部２６、面付け部２７などとしても機能する。
【００３４】
判断部２６は、クライアント端末１０から取得した印刷ジョブを解析し、取得した印刷ジョブの中から、ギャンギングが可能な複数の印刷ジョブ（一括して面付けが可能な印刷ジョブ、すなわち、用紙内で等分割して配置することができ、かつ、断裁位置が各用紙で同じになる印刷ジョブ）を抽出する。また、判断部２６は、各々の印刷ジョブのページ数に基づいてギャンギング方法（串差し面付け又は通常面付け）を決定する。具体的には、複数の印刷ジョブのページ数が同じ又はページ数の差異が所定の閾値以下の場合は、串差し面付けを選択し、複数の印刷ジョブのページ数の差異が所定の閾値を超える場合は、通常面付けを選択する。
【００３５】
面付け部２７は、判断部２６が抽出した複数の印刷ジョブを、判断部２６が決定したギャンギング方法に従って面付けし、複数のページ画像と断裁線と識別マークとを配置した印刷画像データを生成し、生成した印刷画像データを画像形成装置３０に出力する。この面付け部２７は、画像配置部２７ａ、断裁線付加部２７ｂ、識別マーク付加部２７ｃなどで構成される。
【００３６】
画像配置部２７ａは、ギャンギング方法として通常面付けが選択された場合は、図１（ａ）に示すように、各々の用紙に各々の印刷ジョブの複数のページを面付けし、複数のページ画像が配置された印刷画像を生成する。その際、水平方向及び垂直方向の一方の方向に隣り合うページ画像は互いに上下反転して配置する。すなわち、各々の用紙に配置する各々のページ画像に対して、少なくとも１つの識別マークが同じ位置に配置されるように、ページ画像の上下の向きを調整する。また、画像配置部２７ａは、ギャンギング方法として串差し面付けが選択された場合は、図１（ｂ）に示すように、各々の用紙に複数の印刷ジョブの同一ページを面付けし、複数のページ画像が配置された印刷画像を生成する。
【００３７】
断裁線付加部２７ｂは、各々の用紙に印刷する印刷画像に、断裁機（図示せず）による断裁位置を明示する断裁線（断裁位置を示す十字マークやＴ字マーク、Ｌ字マークなどを含む。）を付加する。
【００３８】
識別マーク付加部２７ｃは、各々の用紙に印刷する印刷画像に、断裁後の用紙束を識別できるようにする（ページ画像の面付け位置を特定可能にする）識別マークを付加する。例えば、ギャンギング方法として通常面付けが選択された場合は、水平方向及び垂直方向の一方の方向に隣り合う（すなわち、画像配置部２７ａが互いに上下反転して配置した）ページ画像の間の断裁線上には、同一の形態の識別マークを付加し、水平方向及び垂直方向の他方の方向に隣り合うページ画像の間の断裁線上には、ページ画像の組み合わせに応じて形態が異なる識別マークを付加する（識別マークなしを含む。）。また、ギャンギング方法として串差し面付けが選択された場合は、出力分割が必要か（複数の印刷ジョブの印刷枚数が断裁機の最大断裁枚数を超えるか）を判断し、出力分割が必要な場合は、水平方向及び垂直方向の各々の方向に隣り合うページ画像の間の断裁線上に、ページ画像の組み合わせに応じて形態が異なる識別マークを付加する（識別マークなしを含む。）。
【００３９】
なお、上記判断部２６及び面付け部２７はハードウェアとして構成してもよいし、制御部２１を判断部２６及び面付け部２７として機能させる面付け印刷制御プログラムとして構成し、当該面付け印刷制御プログラムをＣＰＵ２１ａに実行させるようにしてもよい。
【００４０】
記憶部２２は、ＨＤＤやＳＳＤなどで構成され、ＣＰＵ２１ａが各部を制御するためのプログラム、印刷ジョブ、印刷ジョブから生成された各ページの画像データ、複数のページ画像と断裁線と識別マークとが配置された印刷画像データなどを記憶する。
【００４１】
ＲＩＰ部２３は、画像処理ＡＳＩＣ（Application Specific Integrated Circuit）などで構成され、クライアント端末１０から取得した印刷ジョブの各ページをビットマップ展開してラスタデータを生成し、必要に応じてラスタデータに対してスクリーニングや画像処理を行って各ページの画像データを生成する。
【００４２】
ネットワークＩ／Ｆ部２４は、ＮＩＣやモデムなどで構成され、コントローラ２０を通信ネットワーク４０に接続し、クライアント端末１０から印刷ジョブなどを受信する。プリンタＩ／Ｆ部２５は、画像形成装置３０に接続するための専用インターフェイスであり、画像形成装置３０に印刷画像データなどを送信する。
【００４３】
［画像形成装置］
画像形成装置３０は、プリンタやＭＦＰなどであり、図７に示すように、制御部３１とコントローラＩ／Ｆ部３２とパネル操作部３３と印刷部（エンジン）３４などで構成される。
【００４４】
制御部３１は、ＣＰＵ３１ａと、ＲＯＭ３１ｂやＲＡＭ３１ｃなどのメモリとで構成され、ＣＰＵ３１ａは、ＲＯＭ３１ｂに記憶した制御プログラムをＲＡＭ３１ｃに展開して実行することにより、画像形成装置３０全体の動作を制御する。
【００４５】
コントローラＩ／Ｆ部３２は、コントローラ２０に接続するための専用インターフェイスであり、コントローラ２０から印刷画像データなどを受信する。
【００４６】
パネル操作部３３は、ＬＣＤなどの表示部上に格子状の透明電極からなるタッチセンサが形成されたタッチパネルなどであり、印刷に関する各種画面を表示すると共に、印刷に関する各種操作を可能にする。
【００４７】
印刷部３４は、印刷画像データに基づいて印刷処理を実行するエンジンである。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行う。
【００４８】
なお、図２乃至図７は本実施例の印刷システムの一例であり、複数の印刷ジョブをギャンギングして生成した印刷画像データに基づいて印刷処理が可能であれば、各装置の構成や制御は適宜変更可能である。
【００４９】
例えば、上記説明では、印刷画像データを生成する画像処理装置として動作するコントローラ２０の制御部２１を判断部２６及び面付け部２７として機能させる構成としたが、クライアント端末１０が画像処理装置として動作する場合は、クライアント端末１０の制御部１１を判断部及び面付け部として機能させる（ＣＰＵ１１ａに面付け印刷制御プログラムを実行させる）構成としてもよいし、画像形成装置３０が画像処理装置として動作する場合は、画像形成装置３０の制御部３１を判断部及び面付け部として機能させる（ＣＰＵ３１ａに面付け印刷制御プログラムを実行させる）構成としてもよい。
【００５０】
次に、本実施例のコントローラ２０における面付け印刷制御方法について説明する。ＣＰＵ２１ａは、ＲＯＭ２１ｂ又は記憶部２２に記憶した面付け印刷制御プログラムをＲＡＭ２１ｃに展開して実行することにより、図８のフローチャート図に示す各ステップの処理を実行する。
【００５１】
まず、コントローラ２０の制御部２１（判断部２６）は、１又は複数のクライアント端末１０から複数の印刷ジョブが投入されると、それらの中からギャンギングが可能な複数の印刷ジョブを抽出する（Ｓ１０１）。具体的には、用紙内で等分割して配置することができ、かつ、断裁位置が各用紙で同じになる印刷ジョブを抽出する。
【００５２】
ギャンギングが可能な複数の印刷ジョブが抽出されたら（Ｓ１０２のＹｅｓ）、制御部２１（判断部２６）は、各々の印刷ジョブのページ数に基づいてギャンギング方法を判断する（Ｓ１０３）。具体的には、複数の印刷ジョブのページ数が同じ又はページ数の差異が所定の閾値以下の場合は、串差し面付けを選択し、複数の印刷ジョブのページ数の差異が所定の閾値を超える場合は、通常面付けを選択する。
【００５３】
ギャンギング方式として串差し面付けを選択した場合（Ｓ１０４のＹｅｓ）、ＲＩＰ部２３は、各々の印刷ジョブの各ページをラスタライズしてページ画像を生成し、制御部２１（面付け部２７）は、串差し面付けを実施し、断裁線を描画する（Ｓ１０５）。具体的には、４つの印刷ジョブを4in1で串差し面付けする場合、ｎ（ｎは１以上の正数）枚目の用紙の左上に第１の印刷ジョブの第ｎページを配置し、右上に第２の印刷ジョブの第ｎページを配置し、左下に第３の印刷ジョブの第ｎページを配置し、右下に第４の印刷ジョブの第ｎページを配置する。そして、用紙の左右及び上下を各々２等分する断裁線（十字マークやＴ字マーク、Ｌ字マークでもよい。）を描画する。すなわち、４つの印刷ジョブのページ画像を配置した印刷画像に断裁線を付加する。
【００５４】
その後、制御部２１（面付け部２７）は、出力分割が必要であるかを判断する（Ｓ１０６）。例えば、複数の印刷ジョブのページ画像を印刷する用紙の枚数が断裁機の最大断裁枚数を超える場合は、出力分割が必要であると判断する。出力分割が必要であると判断した場合は、制御部２１（面付け部２７）は、断裁線上に識別マークを描画（印刷画像に付加）し（Ｓ１０７）、印刷ジョブのページ画像と断裁線と識別マークとからなる印刷画像データを画像形成装置３０に送信して印刷を指示する（Ｓ１１０）。なお、出力分割が必要ない（断裁機で一度に断裁できる）場合は、断裁機で断裁した状態で最終印刷物が出来上がる（断裁後に出力分割した印刷物を仕分けする必要がない）ため、識別マークを描画する必要はなく、印刷ジョブのページ画像と断裁線とからなる印刷画像データを画像形成装置３０に送信して印刷を指示する（Ｓ１１０）。
【００５５】
一方、ギャンギング方式として通常面付けを選択した場合（Ｓ１０４のＮｏ）、ＲＩＰ部２３は、各々の印刷ジョブの各ページをラスタライズしてページ画像を生成し、制御部２１（面付け部２７）は、通常面付けを実施し、断裁線を描画すると共に、隣接する同一印刷ジョブのページ画像を反転する（Ｓ１０８）。具体的には、４ｎ（ｎは１以上の正数）ページからなる印刷ジョブを4in1で通常面付けする場合、１〜ｎ枚目の用紙の左上に印刷ジョブの１〜ｎページを配置し、右上に印刷ジョブのｎ＋１〜２ｎページを上下反転して配置し、左下に印刷ジョブの２ｎ＋１〜３ｎページを配置し、右下に印刷ジョブの３ｎ＋１〜４ｎページを上下反転して配置する。若しくは、１〜ｎ枚目の用紙の左上に印刷ジョブの１〜ｎページを配置し、右上に印刷ジョブのｎ＋１〜２ｎページを配置し、左下に印刷ジョブの２ｎ＋１〜３ｎページを上下反転して配置し、右下に印刷ジョブの３ｎ＋１〜４ｎページを上下反転して配置する。そして、用紙の左右及び上下を各々２等分する断裁線（十字マークやＴ字マーク、Ｌ字マークでもよい。）を描画する。すなわち、各印刷ジョブの４つのページ画像を配置した印刷画像に断裁線を付加する。
【００５６】
その後、制御部２１（面付け部２７）は、断裁線上に識別マークを描画（印刷画像に付加）し（Ｓ１０９）、印刷ジョブのページ画像と断裁線と識別マークとからなる印刷画像データを画像形成装置３０に送信して印刷を指示する（Ｓ１１０）。
【００５７】
画像形成装置３０は、コントローラ２０から印刷画像データを受信すると、印刷画像データに基づいて面付け印刷を実施する。そして、ユーザは、印刷済みの用紙を断裁機にセットし、断裁線に沿って用紙を断裁し、識別マークが付加されている場合は、その識別マークを参照して用紙束を仕分けすることにより、最終印刷物が完成する。
【００５８】
以下、本実施例の面付け印刷制御について、串差し面付けと通常面付けに分けて具体的に説明する。
【００５９】
［串差し面付け］
図９は、４つの印刷ジョブ（印刷ジョブＡ〜Ｄ）を4in1で串差し面付けした場合の一例を示している。印刷ジョブＡ〜Ｄのページ画像は、各々、用紙５０の左上、右上、左下、右下に配置され、用紙５０を４等分する縦方向及び横方向の２本の断裁線５１（ここでは破線の断裁線）が印刷されている。更に、断裁線５１上に識別マーク５２が印刷されている。ここでは、印刷ジョブＡのページ画像（図中の「Ａ」）と印刷ジョブＢのページ画像（図中の「Ｂ」）との間に２つの矩形状の識別マーク５２が印刷され、印刷ジョブＣのページ画像（図中の「Ｃ」）と印刷ジョブＤのページ画像（図中の「Ｄ」）との間に１つの矩形状の識別マーク５２が印刷されている。また、印刷ジョブＡのページ画像と印刷ジョブＣのページ画像との間に２つの矩形状の識別マーク５２が印刷され、印刷ジョブＢのページ画像と印刷ジョブＤのページ画像との間に１つの矩形状の識別マーク５２が印刷されている。
【００６０】
図１０は、図９のようにページ画像と断裁線５１と識別マーク５２とが印刷された複数の用紙５０を断裁線５１に沿って断裁した状態を示している。図１０（ａ）に示すように、印刷ジョブＡの用紙束５３では、右端面で２つの識別マーク５２を視認することができ、下端面で２つの識別マーク５２を視認することができる。また、図１０（ｂ）に示すように、印刷ジョブＢの用紙束５３では、左端面で２つの識別マーク５２を視認することができ、下端面で１つの識別マーク５２を視認することができる。また、図１０（ｃ）に示すように、印刷ジョブＣの用紙束５３では、上端面で２つの識別マーク５２を視認することができ、右端面で１つの識別マーク５２を視認することができる。また、図１０（ｄ）に示すように、印刷ジョブＤの用紙束５３では、上端面で１つの識別マーク５２を視認することができ、左端面で１つの識別マーク５２を視認することができる。
【００６１】
このように、各々の印刷ジョブの用紙束５３で、異なる構成の識別マーク５２を視認することができるため、各々の印刷ジョブの用紙束５３を特定することができ、出力分割する場合であっても、同じ印刷ジョブの用紙束５３を積載することができる。この識別マーク５２は最終印刷物に残してもよいが、断裁線５１に沿って断裁後、更に４方で断裁してもよい。この場合、識別マーク５２を最終的に取り除くことができるため、最終印刷物の品質に影響を与えないようにすることができる。
【００６２】
なお、図９では、断裁線５１として破線の直線を記載したが、断裁線５１は断裁機で断裁位置が確認できる形態であればよく、例えば、図１１（ａ）に示すように、十字マーク、Ｔ字マーク、Ｌ字マークなどの断裁マーク５１ａを組み合わせた構成としてもよい。
【００６３】
また、図９では、左右方向及び上下方向で各々の印刷ジョブの間に配置する識別マーク５２の数を１つ又は２つにしたが、左右方向及び上下方向で各々の印刷ジョブの間に配置する識別マーク５２の構成が異なっていればよく、例えば、図１１（ｂ）に示すように、各々の印刷ジョブの間に配置する識別マーク５２の数を０又は１つにしてもよい。また、図１１（ｃ）に示すように、左右方向及び上下方向で各々の印刷ジョブの間に配置する識別マーク５２の数量は変えずに長さや幅、形状（ここでは長さ）を変えるようにしてもよい。
【００６４】
また、図９では、識別マーク５２の中央が断裁線５１に重なるように（すなわち、断裁線５１上で識別マーク５２が左右対称又は上下対称となるように）配置したが、図１１（ｂ）に示すように、断裁線５１上で識別マーク５２が左右又は上下で非対称となるようにしてもよい。その場合、用紙束５３の最上面の用紙５０で識別マーク５２の形状（ここでは幅）を確認することにより、どの印刷ジョブの用紙束５３であるかを判断することができる。
【００６５】
また、図９及び図１１では、4in1の串差し面付けについて記載したが、図１２（ａ）に示すような6in1の串差し面付けや、図１２（ｂ）に示すような9in1の串差し面付けであっても、左右方向及び上下方向で各々の印刷ジョブの間に配置する識別マーク５２の構成が異なっていれば各々の印刷ジョブの用紙束５３を特定することができ、出力分割する場合であっても、同じ印刷ジョブの用紙束５３を積載することができる。なお、2in1の場合は、各々の印刷ジョブの間が１つであり、識別マーク５２の構成を変えることができないが、2in1以外の面付け（4in1、6in1、9in1、12in1など）に対しては、本実施例の面付け印刷制御を同様に適用することができる。
【００６６】
［通常面付け］
図１３は、２つの印刷ジョブ（印刷ジョブＡ、Ｂ）を4in1で通常面付けした場合の一例を示している。各々の用紙５０の左上、右上、左下、右下に印刷ジョブＡ又はＢのページ画像が配置され、右上及び右下のページ画像は上下反転して配置されている。また、用紙５０を４等分する縦方向及び横方向の２本の断裁線５１（ここでは破線の断裁線５１やＬ字の断裁マーク５１ａ）が印刷され、更に、断裁線５１上に識別マーク５２が印刷されている。ここでは、左上のページ画像と右上のページ画像との間、及び、左下のページ画像と右下のページ画像との間に、各々１つの矩形状の識別マーク５２が印刷され、右上のページ画像と右下のページ画像との間に１つの矩形状の識別マーク５２が印刷されている。
【００６７】
図１４は、図１３のようにページ画像と断裁線５１と識別マーク５２とが印刷された複数の用紙５０を断裁線５１に沿って断裁した状態を示している。図１４（ａ）に示すように、左上の用紙束５３では、右端面で１つの識別マーク５２を視認することができる。また、図１４（ｂ）に示すように、右上の用紙束５３では、右端面及び上端面で１つの識別マーク５２を視認することができる。また、図１４（ｃ）に示すように、左下の用紙束５３では、右端面で１つの識別マーク５２を視認することができる。また、図１４（ｄ）に示すように、右下の用紙束５３では、右端面及び下端面で１つの識別マーク５２を視認することができる。
【００６８】
図１５は、図１４の４つの用紙束５３を重ね合わせた状態を示している。上述したように、各々の用紙束５３には同じ位置（ここではページ画像の右端面）に識別マーク５２が配置されているため、この識別マーク５２を基準にして用紙束５３を重ね合わせることにより、最終印刷物を容易に作成することができる。
【００６９】
なお、図１３では、印刷ジョブＡ、Ｂ共に同じ位置に同じ形態の識別マーク５２を配置したが、面付けされる印刷ジョブに応じて、識別マーク５２の形態（例えば、幅や長さ、形状、色など）を変更することにより、識別マーク５２に基づいて印刷ジョブを特定することができる。
【００７０】
また、図１３のように識別マーク５２を印刷した場合、左上の用紙束５３と左下の用紙束５３は同じ位置（ここでは右端面）に同じ形状の識別マーク５２が配置されるため、この識別マーク５２だけでは、用紙束５３を積載する時に上下を間違えたり、積載順を間違えたりする場合がある。そのような場合は、例えば、図１６に示すように、左上のページ画像と右上のページ画像の間と、左下のページ画像と右下のページ画像の間とで、識別マーク５２の形態（例えば、数量や長さ、幅、形状、色など、ここでは数量）を変えることにより、どちらの用紙束５３であるかを特定することができる。
【００７１】
また、積載順をより直感的に判断できるようにするために、識別マーク５２に積載順を識別可能にする情報を付加することもできる。左上、右上、左下、右下の順にページ画像が配置されている場合、例えば、図１７に示すように、左上のページ画像と右上のページ画像の間に配置する識別マーク５２には断裁線５１を横切る１本線を付加し、右上のページ画像と右下のページ画像の間に配置する識別マーク５２には断裁線５１を横切る２本線を付加し、左下のページ画像と右下のページ画像の間に配置する識別マーク５２には断裁線５１を横切る３本線を付加することができる。この場合、最も上に配置する用紙束５３では、右端面で１本線を視認することができ、２番目に配置する用紙束５３では、右端面で１本線、上端面で２本線を視認することができ、３番目に配置する用紙束５３では、右端面で３本線、下端面で２本線を視認することができ、４番目に配置する用紙束５３では、右端面で３本線を視認することができるため、本数で積載順を容易に判断することができる。
【００７２】
また、図１３では、右上のページ画像と右下のページ画像を上下反転して配置することにより、各々のページ画像の同じ側（図１３では右端面）に識別マーク５２が配置されるようにしたが、例えば、図１９に示すように、左下のページ画像と右下のページ画像を上下反転して配置し、左上のページ画像と左下のページ画像との間、及び、右上のページ画像と右下のページ画像との間に同一の形態の識別マーク５２を配置してもよい。この場合、各々のページ画像の下端面に識別マーク５２が配置されるため、その識別マーク５２を基準にして用紙束５３を重ね合わせることにより、最終印刷物を容易に作成することができる。
【００７３】
また、串差し面付けと同様に、通常面付けにおいても、断裁線５１は断裁機で断裁位置が確認できる形態であればよく、例えば、十字マーク、Ｔ字マーク、Ｌ字マークなどの断裁マーク５１ａを組み合わせた構成としてもよい。また、識別マーク５２は、断裁線５１上で左右又は上下で非対称となるように配置してもよい。また、図１３、図１６、図１７、図１９では、4in1の通常面付けについて記載したが、2in1以外の面付け（4in1、6in1、9in1、12in1など）に対して、本実施例の面付け印刷制御を同様に適用することができる。
【００７４】
以上説明したように、複数の印刷ジョブを面付けするギャンギングにおいて、ギャンギングする印刷ジョブの種類（ページ数）に応じてギャンギングの種類（通常面付け又は串差し面付け）を切り替え、ギャンギングの種類に応じて、断裁線上に積載順を認識しやすくする（面付け位置を特定する）ための識別マーク５２を配置することにより、断裁後の仕分けを容易に行うことができる。また、水平方向の断裁線、垂直方向の断裁線のそれぞれに識別マーク５２を配置し、位置に応じて識別マーク５２の形態（数量、長さ、幅、形状、色など）を変化させることにより、断裁後の仕分けを容易に行うことができる。
【００７５】
なお、本発明は上記実施例に限定されるものではなく、本発明の趣旨を逸脱しない限りにおいて、その構成や制御は適宜変更可能である。
【００７６】
例えば、上記実施例では、識別マーク５２を矩形状としたが、識別マーク５２の形状は任意であり、任意の多角形（例えば、三角形）や特殊な形状の図形（例えば、星形や円）などとすることができる。
【産業上の利用可能性】
【００７７】
本発明は、面付けした用紙を断裁した後に仕分けして最終印刷物を作成する印刷システム及び当該印刷システムで動作する面付け印刷制御プログラム並びに当該面付け印刷制御プログラムを記録した記録媒体並びに当該印刷システムにおける面付け印刷制御方法に利用可能である。
【符号の説明】
【００７８】
１０  クライアント端末
１１  制御部
１１ａ  ＣＰＵ
１１ｂ  ＲＯＭ
１１ｃ  ＲＡＭ
１２  記憶部
１３  ネットワークＩ／Ｆ部
１４  表示部
１５  操作部
１６  ＯＳ
１７  文書作成アプリケーション
１８  プリンタドライバ
２０  コントローラ
２１  制御部
２１ａ  ＣＰＵ
２１ｂ  ＲＯＭ
２１ｃ  ＲＡＭ
２２  記憶部
２３  ＲＩＰ部
２４  ネットワークＩ／Ｆ部
２５  プリンタＩ／Ｆ部
２６  判断部
２７  面付け部
２７ａ  画像配置部
２７ｂ  断裁線付加部
２７ｃ  識別マーク付加部
３０  画像形成装置
３１  制御部
３１ａ  ＣＰＵ
３１ｂ  ＲＯＭ
３１ｃ  ＲＡＭ
３２  コントローラＩ／Ｆ部
３３  パネル操作部
３４  印刷部
４０  通信ネットワーク
５０  用紙
５１  断裁線
５１ａ  断裁マーク
５２  識別マーク
５３  用紙束
【図１】
0006528663.tif 000002
【図２】
0006528663.tif 000003
【図３】
0006528663.tif 000004
【図４】
0006528663.tif 000005
【図５】
0006528663.tif 000006
【図６】
0006528663.tif 000007
【図７】
0006528663.tif 000008
【図８】
0006528663.tif 000009
【図９】
0006528663.tif 000010
【図１０】
0006528663.tif 000011
【図１１】
0006528663.tif 000012
【図１２】
0006528663.tif 000013
【図１３】
0006528663.tif 000014
【図１４】
0006528663.tif 000015
【図１５】
0006528663.tif 000016
【図１６】
0006528663.tif 000017
【図１７】
0006528663.tif 000018
【図１８】
0006528663.tif 000019
【図１９】
0006528663.tif 000020